【事件の表示】
　特願２０１７−５６１７８２「体温調節パッドを備える衣服」拒絶査定不服審判事件〔平成３１年３月７日国際公開、ＷＯ２０１９／０４３８３７、請求項の数（５）〕について、次のとおり審決する。
【結　論】
　原査定を取り消す。
　本願の発明は、特許すべきものとする。
【理　由】
第１　手続の経緯
　本願は平成２９年８月３０日を国際出願日とする出願であって、その手続の経緯は次のとおりである。
　　平成３０年７月３１日付け　　拒絶理由通知
　　平成３０年１０月３日　　　　意見書および手続補正書の提出
　　平成３１年３月２９日付け　　拒絶査定
　　令和元年６月２８日　　　　　本件審判請求書の提出、および、同時に手続補正書（当該手続補正書に係る補正を、以下「審判請求時の補正」という。）の提出
第２　原査定の概要
　原査定（平成３１年３月２９日付け拒絶査定）は、この出願については、平成３０年７月３１日付け拒絶理由通知書に記載した理由によって、拒絶をすべきであるというものであり、その概要は次のとおりである。
１．　本願請求項１〜５に係る発明は、以下の引用文献１および２に基いて、その発明の属する技術の分野における通常の知識を有する者（以下「当業者」という。）が容易に発明できたものであるから、特許法第２９条第２項の規定により特許を受けることが出来ない。
　　　　　　　　　　　　＜引　用　文　献　等　一　覧＞
１.登録実用新案第３１８２３８３号公報
２.登録実用新案第３２０５６４２号公報
第３　審判請求時の補正について
１．　補正の内容
　審判請求時の補正は、上記令和元年６月２８日にした手続補正書により補正（以下「本件補正」という。）された特許請求の範囲を補正するもので、次の補正事項からなるものである。
（１）補正事項１
　本件補正前の請求項１に記載された「衣服本体」を、「着用時に人体の背中に当接する後身頃、前記後身頃の下方における左右方向の両端側から外側へ延出する側面部、及び前記後身頃の上部で左右方向の両端側から前記側面部の上縁に接続され、長さ調節機構を有する肩紐部を有する衣服本体」と、減縮する。
（２）補正事項２
　本件補正前の請求項１に記載された「前記衣服本体における少なくとも人体の脇の下に対応する側面部」とあるのを、「前記側面部は、前記長さ調節機構により前記肩紐部の長さを調節することで、前記上縁が前記人体の脇の下に対応するように位置調節可能であり、」と、「側面部」が「前記衣服本体における少なくとも人体の脇の下に対応する」態様を、「前記長さ調節機構により前記肩紐部の長さを調節することで、前記上縁が前記人体の脇の下に対応する」と、減縮する。
　上記補正事項１及び２はいずれも特許法第１７条の２第５項第２号に規定される特許請求の範囲の減縮を目的とするものに該当し、かつ、産業上の利用分野及び解決しようとする課題が同一である。
　そして、以下に示すように、補正後の本願特許請求の範囲の請求項１〜５に係る発明（以下「本願発明１」等という。）は、いわゆる独立特許要件を満たすものである。
　そうすると、審判請求時の補正は、特許法第１７条の２第３項から第６項までの要件に違反しているものとはいえない。
第４　本願発明
　本願発明１〜５は、本件補正により補正された特許請求の範囲の請求項１〜５に記載された事項により特定される以下のとおりの発明である。
「【請求項１】
　冷却材又は蓄熱材を有する体温調節パッドを備える衣服であって、
　着用時に人体の背中に当接する後身頃、前記後身頃の下方における左右方向の両端側から外側へ延出する側面部、及び前記後身頃の上部で左右方向の両端側から前記側面部の上縁に接続され、長さ調節機構を有する肩紐部を有する衣服本体と、
　前記体温調節パッドを収容するとともに前記衣服本体に着脱可能な体温調節パッド収容部と、を有し、
　前記側面部は、前記長さ調節機構により前記肩紐部の長さを調節することで、前記上縁が前記人体の脇の下に対応するように位置調節可能であり、
　前記衣服本体の内面には、前記体温調節パッド収容部が係合可能な係合部が設けられ、
　該係合部は、前記側面部に、前記体温調節パッド収容部と係合する第１係合部を有し、
　前記第１係合部は、前記体温調節パッド収容部の外形に対応した形状を有し、
　前記体温調節パッド収容部は、前記第１係合部に係合可能な第１収容部を有し、
　前記第１収容部は、係合した状態で前記脇の下に沿って湾曲する第１側縁と、前記第１側縁から前記側面部の下縁側に向かって前記第１側縁よりも長く延びるように湾曲する第２側縁と、前記第１側縁及び前記第２側縁の端部と接続する第３側縁と、を有する、衣服。
【請求項２】
　前記係合部は、前記衣服本体の内面における後身頃の上部に配置される第２係合部を有する、請求項１に記載の衣服。
【請求項３】
　前記体温調節パッド収容部は、前記第２係合部に係合可能な第２収容部を備え、
　該第２収容部は、前記体温調節パッドを前記衣服本体における左右方向の一方及び他方に配置する一対の収容室と、該一対の収容室の間で上下方向に延びるパッド不配置領域と、を有する、請求項２に記載の衣服。
【請求項４】
　前記係合部は、前記体温調節パッド収容部を取り付けるための位置を案内する位置表示部を有し、
　前記衣服本体は、着用者の体型に応じて寸法が変更される、請求項１〜３いずれか１項に記載の衣服。
【請求項５】
　前記体温調節パッドは、前記第１収容部の外形に対応した形状を有する、請求項１〜４いずれか１項に記載の衣服。」
第５　引用文献、引用発明等
１．　引用文献１について
　本願出願前に頒布された又は電気通信回線を通じて公衆に利用可能となった引用文献１には、図面とともに、次の記載がある。
ア．　「【技術分野】
【０００１】
  本考案は、保冷体を収納可能な袋状部を内側に設けた保冷ベストに関する。」
イ．　「【考案が解決しようとする課題】
【０００４】
・・・特許文献１〜３に記載の冷却服は、多様な体格の作業者が着用できるようにするために別途に特殊な締結具が必要であり、コストアップになっていた。
【０００５】
　本考案は、前記課題に鑑みてなされたもので、様々な体型の作業者にとって着脱が容易且つ一定以上の冷却効果を得られるフリーサイズのシンプル且つ低コストな保冷ベストを提供することを目的とする。
【課題を解決するための手段】
【０００６】
　本考案の態様の１つは、メッシュ素材で作製されたベスト本体と、前記ベスト本体の内面側の左脇腹部に対して第１面ファスナーにて着脱自在に止着された第１袋状部と、前記ベスト本体の内面側の右脇腹部に対して第２面ファスナーにて着脱自在に止着された第２袋状部と、前記ベスト本体の背中内面側の襟刳り近傍に固定された第３袋状部と、一方の前身頃の裾部の外面側に沿って固定された第３面ファスナーと、他方の前身頃裾をウェストラインに沿って伸ばした帯状部の内面側に固定されて前記第３面ファスナーと雌雄係合する第４面ファスナーと、を備え、前記第１袋状部、第２袋状部及び第３袋状部に保冷剤が収容されることを特徴とする保冷ベストである。
【考案の効果】
【０００７】
　本考案によれば、作業者にとって着脱が容易であり、また、様々な体型の作業者が装着して一定以上の冷却効果を得られるフリーサイズの保冷ベストを実現することが出来る。」
ウ．「【００１０】
（１）本実施形態の構成： 
　本実施形態に係る保冷ベストは、メッシュ素材で作製されたベスト本体の内面側の所定の３箇所にそれぞれ袋状部を有する。更に、左右前身頃の裾付近をそれぞれウェストラインに沿って他方の脇腹方向（右前身頃については左脇腹方向、左前身頃については右脇腹方向）に向かって伸ばした帯状部を有している。
【００１１】
　袋状部の１つは、ベスト本体内面側の背中側の襟刳り近傍に固定されている。その他の２つの袋状部は、着用者の左脇腹部と右脇腹部に当接するベスト本体内面側に設けられており、それぞれ面ファスナーでベスト本体に対して着脱自在に止着されている。
【００１２】
　これら２つの袋状部をベスト本体に対して止着するための面ファスナーは、ウェストライン方向に沿った長さが一定長以上であり、袋状部の止着位置を、着用者の脇腹近辺でウェストライン方向に沿って前後に変更可能になっている。
【００１３】
　このように構成された保冷ベストは、シンプル且つ低コストで、様々な体型の作業者にとって着脱が容易なフリーサイズを実現する。また、従来品に比べて著しく長い冷感持続時間を実現することができる。
【００１４】
　以下、本実施形態に係る保冷ベストについて具体的に説明する。
　図１は、本実施形態に係る保冷ベスト１００の斜視図である。なお、同図及び以下で説明する各図にあらわれる網目模様部分は、略円形の通孔が無数に形成されたメッシュ生地を示す。
【００１５】
　保冷ベスト１００は、ベスト本体１０、第１袋状部としての左袋状部７０、及び、第２袋状部としての右袋状部８０を備えている。ベスト本体１０は、通気性を有するメッシュ生地で作製されており、後身頃部２０、左前身頃部３０及び右前身頃部４０を備えている。
【００１６】
　ベスト本体１０の後身頃部２０の内面側には、その襟刳り近傍に、第３袋状部としての上袋状部２１が縫着によりベスト本体１０に一体形成されている。この上袋状部２１には、後述する保冷体２００又はカイロ３００が収容される（図１には保冷体２００を例示）。
【００１７】
　ベスト本体１０の左脇腹部の内面側には、左袋状部７０が、面ファスナー５０と面ファスナー７１の雌雄係合により着脱自在に止着されている。面ファスナー７１は、左袋状部７０に縫着によって固定されており、面ファスナー５０は、ベスト本体１０の左脇腹部の内面側に縫着によって固定されている。
【００１８】
　同様に、ベスト本体１０の右脇腹部の内面側には、右袋状部８０が、面ファスナー６０と面ファスナー８１の雌雄係合により着脱自在に止着されている。面ファスナー８１は、右袋状部８０に縫着によって固定されており、面ファスナー６０は、ベスト本体１０の左脇腹部の内面側に縫着によって固定されている。
【００１９】
　これら左袋状部７０と右袋状部８０にも、後述する保冷体２００又はカイロ３００が収納される（図１には保冷体２００を例示）。
【００２０】
　また、ベスト本体１０の左前身頃部３０及び右前身頃部４０は、保冷ベスト１００を着用したときに、その裾部３１及び裾部４１が、着用者のウェストライン付近にくる長さである。
【００２１】
　裾部３１には、着用時に着用者の右腰に向けてウェストラインに沿って延びる腰帯状部３２が形成されており、裾部４１には、着用時に着用者の左腰に向けてウェストラインに沿って延びる腰帯状部４２が形成されている。すなわち、左右の前身頃部の裾には、左右反対の腰に向けてウェストラインに沿って延びる腰帯状部がそれぞれ形成されている。
【００２２】
　腰帯状部３２，４２の長さは、例えば、標準的な体格の者が、保冷ベスト１００の裾がウェストラインに略密着するように着用したときに、ウェストライン方向の先端が、左右反対の脇腹に到達する程度とする。腰帯状部３２，４２の幅（上下長さ）は、例えば、脇腹の最も下の肋骨から腰骨までの幅に略一致する程度の広さとする。
【００２３】
　腰帯状部３２と腰帯状部４２は面ファスナー３３，４３の雌雄係合により互いに止着可能になっている。第４面ファスナーとしての面ファスナー３３は、腰帯状部３２の内面側に縫着によって固定されており、第３面ファスナーとしての面ファスナー４３は、腰帯状部４２の外面側に縫着によって固定されている。これらの面ファスナーを雌雄係合することにより、保冷ベスト１００の裾が着用者の腰周りに沿って密着固定される。
【００２４】
　以上のように、面ファスナー３３，４３を設けた腰帯状部３２，４２を形成することにより、様々な体格の着用者が保冷ベスト１００を安定的に装着できるようになる。」
エ．　「【００２７】
　各袋状部は、その内寸が、保冷体２００の外寸と略一致する形状であり、図１では、略矩形の保冷体２００に合わせて略矩形としてある。また、各袋状部は、可撓性を有するメッシュ生地で作製されている。これにより、各袋状部は、その内部に収容した保冷体２００やカイロ３００を安定して保持することができる。
【００２８】
　各袋状部には、保冷体２００やカイロ３００を出し入れするための開口が設けてあり、この開口には、内部に収容した保冷体２００やカイロ３００の脱落や飛び出しを防止するためのフラップが設けてある。これにより、保冷体２００やカイロ３００の出し入れが容易になり、また、保冷体２００とカイロ３００とを容易に入れ替えて、保冷ベスト１００を保温ベストに転用できる。
【００２９】
　より具体的には、上袋状部２１には、その上端辺に沿って開口が設けてあり、この開口を覆うようにフラップ２２が設けてある。
【００３０】
　フラップ２２は、雌雄の面ファスナー２３ａ，２３ｂにより、上袋状部２１の開口を閉塞した状態で固定される。面ファスナー２３ａは、フラップ２２の上袋状部２１の本体に当接する面に縫着によって固定されており、面ファスナー２３ａと雌雄係合する面ファスナー２３ｂは、上袋状部２１の本体のフラップ２２に当接する面に縫着によって固定されている。
【００３１】
　また、図２に示すように、左袋状部７０には、その一辺に沿って開口が設けてあり、この開口にはフラップ７２が設けてある。また、右袋状部８０には、その一辺に沿って開口が設けてあり、この開口にはフラップ８２が設けてある。図２は、左袋状部７０と右袋状部８０を拡大して示した斜視図である。
【００３２】
　左袋状部７０の本体においてフラップ７２に当接する面には、面ファスナー７３ａが縫着によって固定されており、フラップ７２において左袋状部７０の本体が当接する面には、面ファスナー７３ａと雌雄係合する面ファスナー７３ｂが縫着によって固定されている。
【００３３】
　また、フラップ８２の右袋状部８０の本体に当接する面には、面ファスナー８３ａが縫着によって固定されており、右袋状部８０の本体のフラップ８２に当接する面には、面ファスナー８３ａと雌雄係合する面ファスナー８３ｂが縫着によって固定されている。
【００３４】
　これにより、フラップ７２は、雌雄の面ファスナー７３ａ，７３ｂによって左袋状部７０の開口を閉塞した状態で止着可能となり、フラップ８２は、雌雄の面ファスナー８３ａ，８３ｂによって右袋状部８０の開口を閉塞した状態で止着可能となる。
【００３５】
　保冷ベスト１００の各部の素材は、例えば、ベスト本体１０、衣服の端になる衿回、裾及び袖口を玉縁処理するパイピング、並びに各袋状部の素材は、ポリエステル１００％とし、各面ファスナーの素材は、ナイロン１００％とする。
【００３６】
　左袋状部７０と右袋状部８０は、図３に示すように、その取り付け角度を自在に変更可能である。なお、左右の袋状部の止着位置は正中線を線対称の軸とした略対称であるため、図３には左袋状部７０を例に取り示してある。図３（ａ）は、左袋状部７０の開口を前方に向けてベスト本体１０に取り付けた状態であり、図３（ｂ）は、左袋状部７０の開口を上方に向けてベスト本体１０に取り付けた状態を示す。
【００３７】
　このように、左右の袋状部の取り付け角度が自在であるため、使用者は、保冷体２００の出し入れ等の便宜に応じて、適宜に開口の方向を選択して左右の袋状部を止着することができる。
【００３８】
　次に、保冷体２００について説明する。保冷体２００は、上袋状部２１、左袋状部７０及び右袋状部８０に収納可能な大きさであり、保冷体２００が蓄冷時に柔軟性をほとんど有さない場合は、例えばこれら袋状部よりも一回り小さいサイズとする。
【００３９】
　また、本実施形態に係る保冷体２００は、ポリエステル等で形成された袋内に、保冷剤（蓄冷剤）を充填して密封した公知の各種の保冷体を用いることができる。保冷剤の材料は、冷凍庫等で冷却することによって蓄冷可能な素材であれば様々なものが使用可能である。」
オ．　「【００５８】
　図９は、保冷ベストの使用状態を説明する図である。同図には保冷ベスト１００の正面図の腰帯状部３２，４２の部分を拡大して示しており、図９（ａ）は標準的な体型の者（以下、標準体型者と記載する。）が保冷ベスト１００装着した状態を示し、図９（ｂ）は標準よりもウェストが太い者（以下、太身体型者と記載する。）が同じ保冷ベスト１００を装着した状態を示している。
【００５９】
　図９（ａ）に示すように、標準体型者が装着すると、面ファスナー３３の略全体が正中線寄りの位置で面ファスナー４３に当接して止着され、腰帯状部３２のウェスト方向の先端が正中線と右脇腹の間で右脇腹寄りに位置する。
【００６０】
　一方、図９（ｂ）に示すように、太身体型者が装着すると、面ファスナー３３の一部のみが面ファスナー４３に当接して止着され、腰帯状部３２のウェスト方向の先端が、右脇腹と正中線の間で正中線よりに位置する。」
カ．　「【００６２】
　このように、面ファスナー３３を幅広に形成することにより、ウェストサイズの大小に関わらずどのような体型の者でも着用可能なフリーサイズの保冷ベスト１００が実現されていることが分かる。
【００６３】
　図１０は、左右の袋状部の止着位置を説明する左側面図である。図１０（ａ）は、図９（ａ）に示すように腰帯状部を止着した状態に対応し、図１０（ｂ）は、図９（ｂ）に示すように腰帯状部を止着した状態に対応する。なお、左右の袋状部の止着位置は正中線を線対称の軸とした略対称であるため、図１０には左袋状部７０を例に取り示してある。
【００６４】
　面ファスナー５０と面ファスナー７１は、図１０（ａ）の場合、面ファスナー７１の略全体が面ファスナー５０に対して雌雄係合した状態で止着されており、図１０（ｂ）の場合、面ファスナー７１の前方側半分が面ファスナー５０に対して雌雄係合した状態で止着されている。
【００６５】
　面ファスナー５０は、ウェストライン方向において、左袋状部７０と略同一サイズ又は左袋状部７０よりも幅広に形成されている。これにより、左右の袋状部の止着位置は、保冷ベスト１００の着用者の便宜に応じて左右に自在に変更可能になる。」
キ．　「【図１】〜【図３】
」
ク．　「【図９】、【図１０】
」
　以上を総合すると、引用文献１には、次の引用発明が記載されている。
「保冷剤２１０を有する保冷体２００を備える保冷ベストであって、
　着用時に人体の背中に当接する後身頃部２０、前記後身頃部２０の下方における左右方向の両端側から外側へ延出する側面部、及び前記後身頃部２０の上部で左右方向の両端側から前記側面部の上縁に接続された左前身頃３０及び右前身頃４０を有する保冷ベスト本体１０と、
　前記保冷体２００を収容すると共に前記保冷ベストに着脱可能な左袋状部７０及び右袋状部８０と、を有し、
　前記側面部は、前記上縁が前記人体の脇の下に対応し、
　前記保冷ベスト本体１０の内面には、前記左袋状部７０及び右袋状部８０とがそれぞれ係合可能な面ファスナー５０及び面ファスナー６０が設けられ、該面ファスナー５０及び面ファスナー６０は、前記側面部に、前記左袋状部７０及び右袋状部８０とそれぞれ係合する面ファスナー５０及び面ファスナー６０を有し、
　前記面ファスナー５０及び面ファスナー６０は、前記左袋状部７０及び前記右袋状部８０の外形に対応した形状を有し、
　左袋状部７０予備右袋状部８０は、前記面ファスナー５０及び面ファスナー６０にそれぞれ係合可能な前記左袋状部７０及び前記右袋状部８０を有する、保冷ベスト。」
２．　引用文献２について
　本願出願前に頒布された又は電気通信回線を通じて公衆に利用可能となった引用文献２には、次の記載がある。
ア．　「【技術分野】
【０００１】
　本考案は、冷蔵庫などで冷やした保冷材を用いて体温を下げる体温冷却衣に関するものである。
【背景技術】
【０００２】
　従前は、高熱を出すと額や後頭部に冷タオルや冷却材を当てて体温を下げるようにされていた。しかしながら、幼児は高熱があっても安静に寝させていることが難しく、冷タオルや冷却材を当てても手で払い除けてしまうことが多い。それでも、脱水症状や熱性けいれんのおそれがある場合は、迅速に解熱しなければならない。」
イ．　「【考案が解決しようとする課題】
【０００６】
　ところで、上記した従来の体温冷却衣では、後身頃、腕用部および脚用部の各収容ポケットの大きさがそれぞれ異なっており、それぞれの収容ポケットには異なる大きさの保冷材が使用される。そのために、大きさの異なる収容ポケットに合致したサイズの保冷材を個別に用意しておかなければならなかったのである。また、いずれかの保冷材が破損や紛失などにより足りなくなったりしたときは、体の冷却が局部的に偏ったり不充分になるという懸念があった。特に、後身頃の保冷材は高価で大サイズであるため、他の部位の保冷材として使用できないという問題もあった。
【０００７】
　本考案は、上記した従来の問題点に鑑みてなされたものであって、保冷材を安価かつ充分に用意でき、身体の冷却も十分に行なうことのできる体温冷却衣の提供を目的とする。
【課題を解決するための手段】
【０００８】
　上記目的を達成するために、本考案に係る体温冷却衣は、後身頃を有する衣本体と、衣本体の上部に形成された左右の腕用部と、衣本体の下部に設けられた左右の脚用部とを備えて成り、後身頃、左右の腕用部および左右の脚用部に、保冷材を出し入れ可能に収容する収容ポケットがそれぞれ設けられ、左右の腕用部の収容ポケットは着用時に着用者の腋窩部と対面する位置に配置され、左右の脚用部の収容ポケットは着用時に着用者の鼠蹊部と対面する位置に配置されている体温冷却衣であって、後身頃、腕用部および脚用部のそれぞれの収容ポケットが、共通の保冷材を収容する大きさに形成されていることを特徴とする構成にしてある。」
ウ．　「【００２０】
　後身頃５上端の左右の肩部５Ａ，５Ａには、面ファスナの鉤体またはループ体である係合片１１がそれぞれ縫着されている。一方、前身頃７上端の左右の肩部７Ａ，７Ａには、面ファスナのループ体または鉤体である係合片１２がそれぞれ縫着されている。これらの係合片１１と係合片１２とが係合部材１３を構成しており、これらが係脱自在に係合することによって、肩部５Ａ，７Ａが連結されてリング状の腕用部３となり、着用者Ｍの腕を通せるようになっている。左側の前身頃７の背面辺部には、面ファスナの鉤体またはループ体である係合片１４，１４が縫着されており、右側の前身頃７の正面辺部には、面ファスナのループ体または鉤体である係合片１５，１５が縫着されている。これらの係合片１４と係合片１５とが係合部材１６を構成しており、これらが係脱自在に係合することによって、重ね合わせた前身頃７，７が前留めされる。各腕用部３の下部外面すなわち各マチ布６の上部外面に配置されたポケット用布２０は上辺が開口した袋状に縫着され、ポケット用布２０内は保冷材Ｆを出し入れ可能に収容する収容ポケット９となっている。ポケット用布２０の上辺とマチ布６との間は、保冷材Ｆを出し入れするための出し入れ口２１となっている。これら左右の腕用部３，３の収容ポケット９，９は、着用時に着用者Ｍの腋窩部と対面する位置に配置される。」
エ．　「【図３】
」
第６　対比・判断
１．　本願発明１について
（１）　本願発明１と引用発明との対比
　本願発明１と引用発明とを対比する。
　引用発明の「保冷剤２１０」、「保冷体２００」及び「保冷ベスト」は、それぞれ、本願発明１の「冷却材」、「体温調節パッド」及び「衣服」に相当する。
　引用発明の「後身頃部２０」、「側面部」、「保冷ベスト本体１０」は、それぞれ本願発明１の「後身頃」、「側面部」、「衣服本体」に相当する。
　引用発明の「左前身頃３０及び右前身頃４０」と、本願発明１の「肩紐部」は、本願発明１の用語で記載すると、両者とも、後身頃の上部で左右方向の両端側から前記側面部の上縁に接続された部材である限りで一致する。
　引用発明の「左袋状部７０及び右袋状部８０」、「面ファスナー５０及び面ファスナー６０」は、それぞれ本願発明１の「第１収容部」、「第１係合部」に相当する。
　
　そうすると、本願発明１と引用発明は、次の一致点、相違点があるといえる。一致点
「冷却材を有する体温調節パッドを備える衣服であって、
　着用時に人体の背中に当接する後身頃、前記後身頃の下方における左右方向の両端側から外側へ延出する側面部、及び前記後身頃の上部で左右方向の両端側から前記側面部の上縁に接続された部材を有する衣服本体と、
　前記体温調節パッドを収容するとともに前記衣服本体に着脱可能な体温調節パッド収容部と、を有し、
　前記側面部は、前記上縁が前記人体の脇の下に対応するものであり、
　前記衣服本体の内面には、前記体温調節パッド収容部が係合可能な係合部が設けられ、
　該係合部は、前記側面部に、前記体温調節パッド収容部と係合する第１係合部を有し、
　前記第１係合部は、前記体温調節パッド収容部の外形に対応した形状を有し、
　前記体温調節パッド収容部は、前記第１係合部に係合可能な第１収容部を有する、衣服。」
＜相違点１＞
　後身頃の上部で左右方向の両端側から側面部の上縁に接続された部材について、本願発明１は、「長さ調節機構を有する肩紐部」であるのに対し、引用発明は、「左前身頃３０及び右前身頃４０」である点。
＜相違点２＞
　本願発明１の「第１収容部」は、「係合した状態で前記脇の下に沿って湾曲する第１側縁と、前記第１側縁から前記側面部の下縁側に向かって前記第１側縁よりも長く延びるように湾曲する第２側縁と、前記第１側縁及び前記第２側縁の端部と接続する第３側縁と、を有する」ものであるのに対し、引用発明の「左袋状部７０及び右袋状部８０」が、そのような形状であるか不明である点。
（２）　相違点についての検討
　＜相違点１＞について、検討する。
　上記第５の１．イ．及びカ．に示した引用文献１の記載から、引用発明の保冷ベストは、「様々な体型の作業者にとって着脱が容易且つ一定以上の冷却効果を得られるフリーサイズのシンプル且つ低コストな保冷ベストを提供することを目的とする」（【０００５】）ものであって、「作業者にとって着脱が容易であり、また、様々な体型の作業者が装着して一定以上の冷却効果を得られるフリーサイズの保冷ベストを実現することが出来る」（【０００７】）との効果を発揮するものである。そのため、引用発明のものは、「面ファスナー５０は、ウェストライン方向において、左袋状部７０と略同一サイズ又は左袋状部７０よりも幅広に形成されている。これにより、左右の袋状部の止着位置は、保冷ベスト１００の着用者の便宜に応じて左右に自在に変更可能になる」ようにしたものであり、「面ファスナー５０は、上下方向においても、左袋状部７０と略同一サイズ又は左袋状部７０よりも幅広に形成してもよい。この場合、左右の袋状部の止着位置は、ウェストライン方向のみならず、保冷ベスト１００の着用者の便宜に応じて上下や斜め方向に自在に変更可能になる」（【００６５】）ものであるから、引用発明において上記＜相違点１＞に係る本願発明１の構成、すなわち、引用発明の「左前身頃３０及び右前身頃４０」との構成を、「長さ調節機構を有する肩紐部」とすることの動機付けは存在しない。むしろ、引用発明の保冷ベストを構成する「左前身頃３０及び右前身頃４０」に代えて、「長さ調節機構を有する肩紐部」とすることは、通常のベストと異なった形態の衣料となるから、「作業者にとって着脱が容易」との効果を減ずることとなり、この点において阻害事由が存在するといわざるをえない。
　そうすると、相違点２について検討するまでもなく、本願発明１は、引用発明及び引用文献２に記載された事項に基いて、当業者が容易に発明することができたものであるとはいえないから、特許法第２９条第２項の規定により、特許を受けることができないものであるとはいえず、いわゆる独立特許要件を満たすものである。
２．　本願発明２〜５について
　本願発明２〜５は、いずれも、本願発明１の上記相違点１に係る構成を備えるものであるから、本願発明１と同じ理由により、本願発明２〜５は、引用発明及び引用文献２に記載された事項に基いて、当業者が容易に発明することができたものではなく、特許法第２９条第２項の規定により特許を受けることができないものであるとはいえないから、いわゆる独立特許要件を満たすものである。　
第７　原査定について
　上記のとおり、審判請求時の補正は認められるから、本願発明１〜５は、上記相違点１に係る本願発明１の構成である「前記後身頃の上部で左右方向の両端側から前記側面部の上縁に接続され、長さ調節機構を有する肩紐部」を備えたものとなっており、原査定の理由により、本願発明１〜５を容易に発明できたものとすることはできない。
　したがって、原査定の理由を維持することはできない。
第８　むすび
　以上のとおり、原査定の理由によっては、本願を拒絶することができない。
　また、他に本願を拒絶すべき理由を発見しない。
　よって、結論のとおり審決する。